(57)【要約】【課題】ＮＦＣ基板及びＵＳＢ基板を搭載する画像形成装置において、ユーザの利便性を確保しつつ、ＮＦＣ基板とＵＳＢ基板との干渉による通信性能の低下を抑制する技術を提供する。【解決手段】画像形成装置１は、前面２１と背面２２とを備えた下筐体２と、画像形成のためのシートを支持するシートトレイ２７と、下筐体２における前面２１側に配置され、上面７１に近接無線通信可能なループアンテナ７２を搭載したＮＦＣ基板７と、下筐体２における前面２１側に配置され、上面８１にＵＳＢポート８２を搭載したＵＳＢ基板８とを備える。そして、ＵＳＢ基板８は、第２基板面がＮＦＣ基板７の上面７１に対して上面７１の法線方向にシフトして配置され、かつＮＦＣ基板７の上面７１の法線方向においてＮＦＣ基板７と重ならないように上面７１と平行な方向にシフトして配置されている。【選択図】図１
2020057972.tif 000002
【特許請求の範囲】
【請求項１】
開口部を有する第１側面と該第１側面に対向する第２側面とを備えた筐体と、
画像形成のためのシートを支持するとともに、前記開口部を介して前記筐体に収容される収容位置と前記開口部を介して前記筐体から引き出される引出位置との間でスライド可能なシートトレイと、
前記筐体における前記第１側面側に配置され、第１基板面に外部機器との間で近接無線通信可能なアンテナを搭載したＮＦＣ基板と、
前記筐体における前記第１側面側に配置され、第２基板面にＵＳＢポートを搭載したＵＳＢ基板と、を備え、
前記ＵＳＢ基板は、前記第２基板面が前記ＮＦＣ基板の前記第１基板面に対して前記第１基板面の法線方向にシフトして配置され、かつ前記ＮＦＣ基板の前記第１基板面の法線方向において前記ＮＦＣ基板と重ならないように前記第１基板面と平行な方向にシフトして配置されていることを特徴とする画像形成装置。
【請求項２】
前記筐体は、前記第１側面の上端部から前記第２側面へ向かって延びる上面を有し、
前記ＮＦＣ基板の前記第１基板面は、前記上面に平行に配置されることを特徴とする請求項１に記載の画像形成装置。
【請求項３】
前記ＵＳＢポートが設けられた前記第２基板面は、前記筐体における上面側に配置されていることを特徴とする請求項２に記載の画像形成装置。
【請求項４】
前記筐体は、外観を構成するカバーを有し、
前記カバーは、前記ＮＦＣ基板を前記カバーに固定する固定部を有することを特徴とする請求項１から請求項３の何れか一項に記載の画像形成装置。
【請求項５】
前記筐体は、前記第１側面の側端部から前記第２側面へ向かって延びる第３側面を有し、
前記ＵＳＢポートは、前記第３側面に配置されることを特徴とする請求項１から請求項４の何れか一項に記載の画像形成装置。
【請求項６】
前記筐体の上方に原稿を読み取る読取装置を備え、
前記読取装置は、前記筐体に対して前記ＵＳＢポートが配置されている方向に突出して配置されることを特徴とする請求項１から請求項５の何れか一項に記載の画像形成装置。
【請求項７】
前記画像形成装置を操作するための操作パネルを備え、
前記操作パネルは、前記ＮＦＣ基板よりも前記第２側面側に配置されることを特徴とする請求項１から請求項６の何れか一項に記載の画像形成装置。
【請求項８】
前記ＵＳＢ基板の面積が前記ＮＦＣ基板の面積より小さいことを特徴とする請求項１から請求項７の何れか一項に記載の画像形成装置。
【発明の詳細な説明】
【技術分野】
【０００１】
本発明は、画像形成装置に関する。
【背景技術】
【０００２】
従来から、ＮＦＣ（Ｎｅａｒ  Ｆｉｅｌｄ  Ｃｏｍｍｕｎｉｃａｔｉｏｎ）等によってスマートフォンやタブレット端末等の外部機器と通信可能な画像形成装置が知られている。例えば特許文献１には、ＮＦＣ基板をノイズ源となる電源基板から離間した位置に配置した画像形成装置が開示されている。この構成によると、ＮＦＣ基板の通信性能の低下を抑制することができる。
【先行技術文献】
【特許文献】
【０００３】
【特許文献１】特開２０１４−９６７１７号公報
【発明の概要】
【発明が解決しようとする課題】
【０００４】
上記のように画像形成装置にＮＦＣを搭載する場合、ＮＦＣ基板はユーザが操作しやすいように、画像形成装置の手前側に配置することが望ましい。しかしながら、画像形成装置の手前側には操作パネルやシート排出トレイなどが配置されており、ＮＦＣ基板を配置可能な場所は限られている。
【０００５】
また、近年はＵＳＢ（Ｕｎｉｖｅｒｓａｌ  Ｓｅｒｉａｌ  Ｂｕｓ）ポートを備えた画像形成装置もある。この場合、利便性を考慮するとＵＳＢポートを搭載したＵＳＢ基板とＮＦＣ基板とを画像形成装置の手前側に配置することが望ましい。しかし、配置可能な場所が限られているためＵＳＢ基板とＮＦＣ基板とを近づけて配置する場合、互いにノイズ源となり干渉する可能性がある。
【０００６】
本発明は、ＮＦＣ基板及びＵＳＢ基板を搭載する画像形成装置において、ユーザの利便性を確保しつつ、ＮＦＣ基板とＵＳＢ基板との干渉による通信性能の低下を抑制する技術を提供することを目的とする。
【課題を解決するための手段】
【０００７】
本発明の画像形成装置（１）は、開口部（２１１）を有する第１側面（２１）と該第１側面（２１）に対向する第２側面（２２）とを備えた筐体（２）と、画像形成のためのシートを支持するとともに、前記開口部（２１１）を介して前記筐体（２）に収容される収容位置と前記開口部（２１１）を介して前記筐体（２）から引き出される引出位置との間でスライド可能なシートトレイ（２７）と、前記筐体（２）における前記第１側面（２１）側に配置され、第１基板面（７１）に外部機器（９２）との間で近接無線通信可能なアンテナ（７２）を搭載したＮＦＣ基板（７）と、前記筐体（２）における前記第１側面（２１）側に配置され、第２基板面（８１）にＵＳＢポート（８２）を搭載したＵＳＢ基板（８）と、を備え、前記ＵＳＢ基板（８）は、前記第２基板面（８１）が前記ＮＦＣ基板（７）の前記第１基板面（７１）に対して前記第１基板面（７１）の法線方向にシフトして配置され、かつ前記ＮＦＣ基板（７）の前記第１基板面（７１）の法線方向において前記ＮＦＣ基板（７）と重ならないように前記第１基板面（７１）と平行な方向にシフトして配置されていることを特徴とする。
【発明の効果】
【０００８】
本発明によれば、シートトレイが引き出される第１側面側、つまりユーザの手前側に、ＮＦＣ基板及びＵＳＢ基板を並べて配置することでユーザの利便性が確保される。また、ＮＦＣ基板とＵＳＢ基板とを基板面に平行で法線方向に重ならない位置に配置することで、ＮＦＣ基板とＵＳＢ基板との干渉による通信性能の低下を抑制することができる。
【図面の簡単な説明】
【０００９】
【図１】一実施形態の画像形成装置の斜視図である。
【図２】一実施形態の画像形成装置の正面図である。
【図３】一実施形態の画像形成装置における下筐体の左前角部の拡大平面図である。
【図４】一実施形態の画像形成装置におけるＮＦＣ基板及びＵＳＢ基板の概略平面図である。
【図５】図３のＢ−Ｂ断面図である。
【図６】図２のＡ−Ａ断面図である。
【発明を実施するための形態】
【００１０】
以下の説明では、図１に示すように画像形成装置１が使用可能に設置された状態を基準とし、シートトレイ２７が引き出される側を前、その反対側を後とし、画像形成装置１を前側から見て左右方向を規定し、さらに画像形成装置１の上筐体３側を上、下筐体２側を下とし、各方向を定める。
【００１１】
［画像形成装置の全体構成］
図１は本発明の一実施形態の画像形成装置１の斜視図であり、図２はその正面図である。画像形成装置１は、いわゆる胴内排出型と呼ばれる形態を有する。画像形成装置１は、下筐体２と、上筐体３と、操作パネル４とを備えている。
【００１２】
下筐体２は、外観を構成する略直方体形状のカバー２０を有している。カバー２０は、第１側面の一例としての前面２１と、第２側面の一例としての背面２２と、第３側面の一例としての左面２３と、右面２４と、上面２５と、底面２６とを有する。前面２１の下部にはシートトレイ２７を挿抜するための開口部２１１が形成されている。
【００１３】
下筐体２には、画像形成のためのシートを支持するシートトレイ２７と、シートトレイ２７からシートを搬送する搬送機構と、搬送機構によって搬送されてきたシートに画像を形成する画像形成部と、画像形成部から下筐体２外へシートを搬送する排出機構と、ＮＦＣ基板７と、ＵＳＢ基板８とが収容されている。シートトレイ２７は、開口部２１１を介して下筐体２に収容される収容位置（図１に示す位置）と開口部２１１を介して下筐体２から前方へ引き出される引出位置との間でスライド可能である。画像形成部の構成には特に限定はなく、電子写真方式、インクジェット方式、サーマルヘッド方式などの構成を用いることができる。
【００１４】
また、下筐体２の上面２５には排出機構によって排出されるシートを支持する排出トレイ６が設けられている。排出トレイ６は下筐体２の上面２５に後側から前側に向かって凸状に湾曲しつつ登るように傾斜した形状に形成されている。これにより、画像が形成されたシートは、排出機構によって後側から前側に向かって排出トレイ６に排出される。
【００１５】
上筐体３は、読取装置３１と、左脚部３２と、右脚部３３とを有している。読取装置３１には、原稿台に載置された原稿を読み取る画像読取部（図示せず）と、ＡＤＦ（ａｕｔｏ  ｄｏｃｕｍｅｎｔ  ｆｅｅｄｅｒ）３４とが収容されている。左脚部３２及び右脚部３３はそれぞれ読取装置３１の下面の左端部及び右端部に配置され、下筐体２の上面２５の左端部及び右端部に設置される。これにより、上筐体３は排出トレイ６の上方にシートが排出される排出空間６１を介して設置される。この排出空間６１は前方に開口されており、ユーザは開口を通じて排出されたシートを取り出すことができる。
【００１６】
操作パネル４は、上筐体３の前部から前方へ突出して設置される。操作パネル４は略直方体形状のパネルであり、上面４１に液晶パネル等の表示具とタッチパネルや操作ボタン等の操作具とを備えている。
【００１７】
［ＮＦＣ及びＵＳＢ］
図１及び図２に示すように、ＮＦＣ基板７及びＵＳＢ基板８は、下筐体２における前面２１側に配置され、本実施形態では前面２１と左面２３と上面２５とが交わる左前角部に配置されている。図３は、下筐体２の左前角部の拡大平面図、図４は、ＮＦＣ基板７及びＵＳＢ基板８の概略平面図、図５は、図３のＢ−Ｂ断面図、図６は、図２のＡ−Ａ断面図である。
【００１８】
＜ＮＦＣマーク＞
図３に示すように、下筐体２の上面２５における左前角部には、ＮＦＣ機能を有するスマートフォンやタブレット端末等の外部機器をかざす位置を示すＮＦＣマーク２５１が印刷されている。ユーザは、このＮＦＣマーク２５１を目安にして外部機器をかざすことで、外部機器と画像形成装置１との間で無線通信させることができる。なお、かざすとは、外部機器を下筐体２の上面２５に当接させた状態、又は無線通信可能な距離まで近づけた状態を意味する。
【００１９】
＜ＵＳＢマーク＞
下筐体２の上面２５における左前角部には、ＵＳＢデバイスを接続する位置を示すＵＳＢマーク２５２が印刷されている。ＵＳＢマーク２５２には、ＵＳＢデバイスを示すマークと、ＵＳＢデバイスを接続するためのＵＳＢポート８２が左面２３にあることを示す三角形のマークとが含まれている。ユーザは、このＵＳＢマーク２５２を視認することで、ＵＳＢポート８２が左面２３にあることを認識することができる。
【００２０】
＜ＮＦＣ基板の構成＞
図４及び図５に示すように、ＮＦＣ基板７は、略矩形の板状の回路基板であり、ループアンテナ７２をはじめ通信回路や検出回路等を搭載している。ループアンテナ７２は、ＮＦＣマーク２５１の直下に位置し、ＮＦＣ基板７における第１基板面の一例としての上面７１に配置されている。ループアンテナ７２は、外部機器と通信するための電波を送受信する機能を有する。通信回路は、送受信される電波を信号処理する機能を有する。検出回路は、ループアンテナ７２に流れる電流を検出することにより、ループアンテナ７２にて送受信される電波の強度を検出する機能を有する。
【００２１】
＜ＵＳＢ基板の構成＞
ＵＳＢ基板８は、略矩形の板状の回路基板であり、ＵＳＢポート８２及び変換回路を搭載している。ＵＳＢポート８２は、ＵＳＢ基板８における第２基板面の一例としての上面８１に左方へ突出するように配置されている。本実施形態のＵＳＢ基板８は前後方向を長辺とする矩形であるため、ＵＳＢポート８２はＵＳＢ基板８の長辺に配置される。ＵＳＢポート８２は、ＵＳＢデバイスの端子を接続するための端子である。変換回路は、ＵＳＢポート８２の信号線を所定のピッチに変換する回路である。
【００２２】
＜ＮＦＣ基板及びＵＳＢ基板の配置＞
カバー２０は、ＮＦＣ基板７及びＵＳＢ基板８をカバー２０に固定する固定部の一例としてのホルダ２８を有している。ホルダ２８は、水平に延びＵＳＢ基板８を支持する矩形の第１支持面２８１と、第１支持面２８１の右端から上方へ延びる段差部２８２と、段差部２８２の上端から右方へ水平に延びＮＦＣ基板７を支持する矩形の第２支持面２８３と、第２支持面２８３の右端から上方へ延びる側壁部２８４とを有している。そして、第１支持面２８１の左端が下筐体２の左面２３の内側に固定され、側壁部２８４の上端が下筐体２の上面２５の内側に固定される。
【００２３】
ＮＦＣ基板７は、第２支持面２８３に支持されることにより、下筐体２の上面２５との隙間がほぼなくなる位置に配置される。これにより、カバー２０の上面２５に載置される外部機器とＮＦＣ基板７上のループアンテナ７２との距離が短くなる。よって、良好な通信性能を得ることができる。また、外部機器を操作しやすい位置にある下筐体２の上面２５にかざすことで無線通信が可能となるため、利便性がよい。
【００２４】
ＵＳＢ基板８は、第１支持面２８１に支持されることにより、ＵＳＢポート８２と下筐体２の上面２５との隙間がほぼなくなる位置に設けられている。これにより、ＵＳＢポート８２は、下筐体２の左面２３においてカバー２０の上面２５近傍に配置される。よって、ユーザはＵＳＢポート８２を視認しやすい。
【００２５】
ＵＳＢ基板８は、その上面８１がＮＦＣ基板７の上面７１に対して上面７１の法線方向、つまり上下方向にシフトして配置されている。加えて、ＵＳＢ基板８は、上下方向においてＮＦＣ基板と重ならないように上面７１と平行な水平方向にシフトして配置されている。本実施形態では、ＵＳＢ基板８は、水平に配置されるＮＦＣ基板７の下方であって、かつＮＦＣ基板７の左方に並設されている。さらに、ＮＦＣ基板７及びＵＳＢ基板８は下筐体２の前面２１側に近接するように配置されている。
【００２６】
このように、シートトレイ２７が引き出される前側、つまりユーザの手前側に、ＮＦＣ基板７及びＵＳＢ基板８を並べて配置することでユーザの利便性が確保される。また、ＮＦＣ基板７とＵＳＢ基板８とを上下方向に重ならない位置に配置することで、ＮＦＣ基板７とＵＳＢ基板８とを水平方向に並設してもＮＦＣ基板７とＵＳＢ基板８との干渉による通信性能の低下を抑制することができる。
【００２７】
また、ＵＳＢ基板８の面積はＮＦＣ基板７の面積より小さい。したがって、ＵＳＢ基板８の右側に配置されるＮＦＣ基板７を左面２３寄りに配置でき、ＮＦＣマーク２５１が排出トレイ６に排出されたシートで隠れることがない。
【００２８】
また、ＵＳＢポート８２が下筐体２の左面２３に配置されるため、ＵＳＢポート８２が下筐体２の前面２１に配置される形態と比べてＵＳＢ基板８を左面２３寄りに配置できる。よって、ＵＳＢ基板８の右側に配置されるＮＦＣ基板７も左面２３寄りに配置できる。これにより、ＮＦＣ基板７及びＵＳＢ基板８の左右方向の設置長さが短くなり、下筐体２の前面２１の左右方向の長さを短くすることができる。
【００２９】
図２に示すように、読取装置３１は、下筐体２に対してＵＳＢポート８２が配置されている左方向に突出して配置されている。これにより、ＵＳＢポート８２に接続されたＵＳＢデバイス９１は読取装置３１の左端部よりも左方へ突出しないため、ユーザがＵＳＢデバイス９１に衝突することを抑制できる。また、画像形成装置１の左端部を部屋の壁に寄せて設置した場合でも、ＵＳＢポート８２の左方にＵＳＢデバイス９１を接続するための空間を確保することができる。
【００３０】
図６に示すように、操作パネル４は、ＮＦＣ基板７よりも背面２２側に配置されている。つまり、操作パネル４の前端部４２がＮＦＣ基板７の後端部７３よりも後方に配置されている。これにより、ユーザが手前側から外部機器９２をＮＦＣマーク２５１に近づけるときに操作パネル４が邪魔になりにくいため、利便性がよい。
【００３１】
［変形例］
ＵＳＢポート８２は下筐体２の前面２１に配置してもよい。ＵＳＢポート８２をユーザの手前側に配置することで、ユーザはＵＳＢポート８２を視認しやすい。
【００３２】
また、ＮＦＣ基板７及びＵＳＢ基板８は、下筐体２において上記の実施形態と左右対称な位置に配置してもよい。すなわち、ＵＳＢ基板８を下筐体２の右面２４に寄せて配置し、ＵＳＢポート８２を下筐体２の右面２４に配置し、ＮＦＣ基板７をＵＳＢ基板８の左側に配置する形態である。
【００３３】
また、ＮＦＣ基板７及びＵＳＢ基板８は、その上面７１、８１が下筐体２の前面２１と平行になるように配置してもよい。この場合、ＮＦＣマーク２５１は前面２１に配置され、外部機器９２を前面にかざす構成となる。
【００３４】
［実施形態の効果］
上記の画像形成装置１は、開口部２１１を有する前面２１と前面２１に対向する背面２２とを備えた下筐体２を備える。また画像形成装置１は、画像形成のためのシートを支持するとともに、開口部２１１を介して下筐体２に収容される収容位置と開口部２１１を介して下筐体２から引き出される引出位置との間でスライド可能なシートトレイ２７を備える。また画像形成装置１は、下筐体２における前面２１側に配置され、上面７１に外部機器９２との間で近接無線通信可能なループアンテナ７２を搭載したＮＦＣ基板７を備える。また画像形成装置１は、下筐体２における前面２１側に配置され、上面８１にＵＳＢポート８２を搭載したＵＳＢ基板８を備える。そして、ＵＳＢ基板８は、第２基板面がＮＦＣ基板７の上面７１に対して上面７１の法線方向にシフトして配置され、かつＮＦＣ基板７の上面７１の法線方向においてＮＦＣ基板７と重ならないように上面７１と平行な方向にシフトして配置されている。
【００３５】
この構成によれば、シートトレイ２７が引き出される上面７１側、つまりユーザの手前側に、ＮＦＣ基板７及びＵＳＢ基板８を並べて配置することでユーザの利便性が確保される。また、ＮＦＣ基板７とＵＳＢ基板８とを上面７１に平行で法線方向に重ならない位置に配置することで、ＮＦＣ基板７とＵＳＢ基板８との干渉による通信性能の低下を抑制することができる。
【００３６】
上記の実施形態の画像形成装置１によれば、下筐体２は、前面２１の上端部から背面２２へ向かって延びる上面２５を有し、ＮＦＣ基板７の上面７１は、上面２５に平行に配置される。
【００３７】
この構成によれば、外部機器９２を下筐体２の上面２５に近づける又は置くことで無線通信が可能となるため、利便性がよい。
【００３８】
上記の実施形態の画像形成装置１によれば、ＵＳＢポート８２が設けられた上面８１は、下筐体２における上面２５側に配置されている。
【００３９】
この構成によれば、ＵＳＢポート８２を下筐体２の上面２５近くに配置できるため、ユーザはＵＳＢポート８２を視認しやすい。
【００４０】
上記の実施形態の画像形成装置１によれば、下筐体２は、外観を構成するカバー２０を有し、カバー２０は、ＮＦＣ基板７をカバー２０に固定するホルダ２８を有する。
【００４１】
この構成によれば、ＮＦＣ基板７と外部機器９２との距離が短くなるため、良好な通信性能を得ることができる。
【００４２】
上記の実施形態の画像形成装置１によれば、下筐体２は、前面２１の側端部から背面２２へ向かって延びる左面２３を有し、ＵＳＢポート８２は、左面２３に配置される。
【００４３】
この構成によれば、ＮＦＣ基板７を左面２３寄りに配置することができ、前面２１の幅を狭くすることができる。
【００４４】
上記の実施形態の画像形成装置１は、下筐体２の上方に原稿を読み取る読取装置３１を備え、読取装置３１は、下筐体２に対してＵＳＢポート８２が配置されている方向に突出して配置される。
【００４５】
この構成によれば、ＵＳＢポート８２に接続されたＵＳＢデバイス９１は読取装置３１よりも突出しないため、ユーザがＵＳＢデバイス９１に衝突することを抑制できる。
【００４６】
上記の実施形態の画像形成装置１は、画像形成装置１を操作するための操作パネル４を備え、操作パネル４は、ＮＦＣ基板７よりも背面２２側に配置される。
【００４７】
この構成によれば、外部機器９２をＮＦＣマーク２５１に近づけるときに操作パネル４が邪魔になりにくいため、利便性がよい。
【００４８】
上記の実施形態の画像形成装置１によれば、ＵＳＢ基板８の面積がＮＦＣ基板７の面積より小さい。
【００４９】
この構成によれば、ＵＳＢ基板８が小さいので、ＮＦＣ基板７を下筐体２の左面２３に寄せて配置できる。
【符号の説明】
【００５０】
１          画像形成装置
２          下筐体（筐体）
４          操作パネル
７          ＮＦＣ基板
８          ＵＳＢ基板
２０        カバー
２１        前面（第１側面）
２２        背面（第２側面）
２３        左面（第３側面）
２５        上面
２７        シートトレイ
２８        ホルダ
３１        読取装置
７１        上面（第１基板面）
７２        ループアンテナ（アンテナ）
８１        上面（第２基板面）
８２        ＵＳＢポート
９２        外部機器
２１１      開口部
【図１】
2020057972.tif 000003
【図２】
2020057972.tif 000004
【図３】
2020057972.tif 000005
【図４】
2020057972.tif 000006
【図５】
2020057972.tif 000007
【図６】
2020057972.tif 000008